(57)【特許請求の範囲】
【請求項１】
背フレーム体と、支持フレーム体と、前記背フレーム体と前記支持フレーム体とを固定する固定体とを備え、且つ、背凭れの両側方を構成する一対の側方背フレーム部と、前記各側方背フレーム部を支持すべく、前記各側方背フレーム部と前後方向で対面するように離間して配置される一対の支持フレーム部とを備えると共に、前記各側方背フレーム部と前記各支持フレーム部とを接続する接続部を一対ずつ備え、前記一対の接続部は、それぞれ前記各側方背フレーム部と前記各支持フレーム部との間に位置すると共に、上下方向で離間して位置し、前記各接続部は、前記側方背フレーム部と前記支持フレーム部とを前後方向で離間させるべく、前記側方背フレーム部と一体に形成され且つ前記支持フレーム部に向けて突出する第１突出部と、前記支持フレーム部と一体に形成され且つ前記側方背フレーム部に向けて突出する第２突出部とを備え、前記第１及び第２突出部は、互いに嵌合する嵌合部を備え、前記背フレーム体は、前記側方背フレーム部と前記各第１突出部とを有し、前記支持フレーム体は、前記支持フレーム部と前記各第２突出部とを有し、前記各第１及び第２突出部は、前記固定体に後方側から挿入されるべく、互いに連通する孔部をそれぞれ備え、前記背フレーム体及び前記支持フレーム体のうち、前方側に配置されるフレーム体は、前記固定体と係合する係合部を備え、前記側方背フレーム部及び前記支持フレーム部のうち、後方側に配置されるフレーム部は、前記固定体の少なくとも一部を収容するフレーム本体部と、前記フレーム本体部に着脱され、前記固定体を後方側から覆うカバー体とを備え、前記カバー体は、前記フレーム本体部に装着されるべく、前記固定体を掛止する掛止部を備えることを特徴とする椅子。
【請求項２】
前記支持フレーム部は、前記一対の接続部間に位置し且つ前記側方背フレーム部と対面する面が凸状となるように形成される請求項１に記載の椅子。
【請求項３】
前記側方背フレーム部は、腰を支持するために、前方に向けて凸状に湾曲するフレーム腰部を備え、
前記一対の接続部は、前記側方背フレーム部の前記フレーム腰部と前記支持フレーム部とを接続すると共に、前記側方背フレーム部の下端部と前記支持フレーム部とを接続する請求項１又は２に記載の椅子。
【発明の詳細な説明】
【技術分野】
【０００１】
本発明は、背凭れの両側方に配置される一対の側方背フレーム部を備える椅子に関する。
【背景技術】
【０００２】
従来、背凭れの両側方に配置される一対の側方背フレーム部と、各側方背フレーム部を支持する一対の支持フレーム部とを備える椅子が知られている（例えば、特許文献１）。斯かる椅子によれば、各側方背フレーム部が各支持フレーム部に連結されることで、各側方背フレーム部が各支持フレーム部に支持されている。
【先行技術文献】
【特許文献】
【０００３】
【特許文献１】特開２０１２−１０９３５号公報
【発明の概要】
【発明が解決しようとする課題】
【０００４】
ところで、椅子を移動したり補修したりするために、椅子を持ち上げねばならないときに、特許文献１に係る椅子においては、各支持フレーム部の全体が各側方背フレーム部に連結されているため、斯かる椅子を持ち上げることが困難である。それゆえ、各支持フレーム部が各側方背フレーム部に確実に固定されつつも、より安定的に持ち上げることができる椅子を提供して欲しいという要望がある。
【０００５】
よって、本発明は、斯かる事情に鑑み、各支持フレーム部が各側方背フレーム部に確実に固定されつつも、より安定的に持ち上げることができる椅子を提供することを課題とする。
【課題を解決するための手段】
【０００６】
本発明に係る椅子は、背フレーム体と、支持フレーム体と、前記背フレーム体と前記支持フレーム体とを固定する固定体とを備え、且つ、背凭れの両側方を構成する一対の側方背フレーム部と、前記各側方背フレーム部を支持すべく、前記各側方背フレーム部と前後方向で対面するように離間して配置される一対の支持フレーム部とを備えると共に、前記各側方背フレーム部と前記各支持フレーム部とを接続する接続部を一対ずつ備え、前記一対の接続部は、それぞれ前記各側方背フレーム部と前記各支持フレーム部との間に位置すると共に、上下方向で離間して位置し、前記各接続部は、前記側方背フレーム部と前記支持フレーム部とを前後方向で離間させるべく、前記側方背フレーム部と一体に形成され且つ前記支持フレーム部に向けて突出する第１突出部と、前記支持フレーム部と一体に形成され且つ前記側方背フレーム部に向けて突出する第２突出部とを備え、前記第１及び第２突出部は、互いに嵌合する嵌合部を備え、前記背フレーム体は、前記側方背フレーム部と前記各第１突出部とを有し、前記支持フレーム体は、前記支持フレーム部と前記各第２突出部とを有し、前記各第１及び第２突出部は、前記固定体に後方側から挿入されるべく、互いに連通する孔部をそれぞれ備え、前記背フレーム体及び前記支持フレーム体のうち、前方側に配置されるフレーム体は、前記固定体と係合する係合部を備え、前記側方背フレーム部及び前記支持フレーム部のうち、後方側に配置されるフレーム部は、前記固定体の少なくとも一部を収容するフレーム本体部と、前記フレーム本体部に着脱され、前記固定体を後方側から覆うカバー体とを備え、前記カバー体は、前記フレーム本体部に装着されるべく、前記固定体を掛止する掛止部を備えることを特徴とする。
【０００７】
本発明に係る椅子によれば、各側方背フレーム部を支持する一対の支持フレーム部は、各側方背フレーム部と前後方向で対面するように離間して配置されている。そして、各側方背フレーム部と各支持フレーム部とを接続している一対の接続部は、上下方向で離間して位置している。これにより、各支持フレーム部が上下方向で離間した二箇所の接続部で各側方背フレーム部に接続されているため、各支持フレーム部が各側方背フレーム部に確実に固定されている。
【０００８】
しかも、各側方背フレーム部と各支持フレーム部とが前後方向で離間していると共に、一対の接続部が上下方向で離間して位置しているため、各支持フレーム部における一対の接続部間の位置を把持することができる。さらに、把持する手の上方及び下方にそれぞれ接続部が位置しているため、各接続部が把持する手を上下方向で係止することもできる。
【０００９】
また、本発明に係る椅子においては、前記各接続部は、前記側方背フレーム部と前記支持フレーム部とを前後方向で離間させるべく、前記側方背フレーム部及び前記支持フレーム部の少なくとも何れか一方と一体に形成され且つ他方に向けて突出する突出部を備えている。
【００１０】
斯かる構成の椅子によれば、各接続部には、側方背フレーム部及び支持フレーム部の少なくとも何れか一方と一体に形成され且つ他方に向けて突出する突出部が設けられている。そして、各側方背フレーム部と各支持フレーム部とを接続する各接続部が、突出部により、側方背フレーム部と支持フレーム部とを前後方向で離間させる。これにより、突出部が各フレーム部と一体に形成されているため、各フレーム部同士を容易に接続することができる。
【００１１】
具体的には、前記各接続部は、前記側方背フレーム部と一体に形成され且つ前記支持フレーム部に向けて突出する第１突出部と、前記支持フレーム部と一体に形成され且つ前記側方背フレーム部に向けて突出する第２突出部とを備え、前記第１及び第２突出部は、互いに嵌合する嵌合部を備えている。
【００１２】
斯かる構成の椅子によれば、各接続部には、側方背フレーム部と一体に形成され且つ支持フレーム部に向けて突出する第１突出部と、支持フレーム部と一体に形成され且つ側方背フレーム部に向けて突出する第２突出部とが設けられている。これにより、第１突出部が側方背フレーム部と一体に形成されていると共に、第２突出部が支持フレーム部と一体に形成されているため、側方背フレーム部と支持フレーム部とを容易に接続することができる。
【００１３】
しかも、第１突出部と第２突出部とには、互いに嵌合する嵌合部がそれぞれ設けられている。これにより、側方背フレーム部と支持フレーム部とが位置ずれすることなく、側方背フレーム部と支持フレーム部とを接続することができる。
【００１４】
また、本発明に係る椅子においては、前記側方背フレーム部と前記各第１突出部とを有する背フレーム体と、前記支持フレーム部と前記各第２突出部とを有する支持フレーム体と、前記背フレーム体と前記支持フレーム体とを固定する固定体とを備え、前記各第１及び第２突出部は、前記固定体に後方側から挿入されるべく、互いに連通する孔部をそれぞれ備え、前記背フレーム体及び前記支持フレーム体のうち、前方側に配置されるフレーム体は、前記固定体と係合する係合部を備えている。
【００１５】
斯かる構成の椅子によれば、互いに嵌合する各第１突出部と各第２突出部とには、互いに連通する孔部が設けられている。そして、後方側から各孔部に挿入された固定体が、前方側に配置される背フレーム体（又は、支持フレーム体）に設けられる係合部と係合する。これにより、側方背フレーム部と各第１突出部とを有する背フレーム体と、支持フレーム部と各第２突出部とを有する支持フレーム体とが、固定される。したがって、後方側から固定体を操作することで、背フレーム体と支持フレーム体とを固定することができる。
【００１６】
また、本発明に係る椅子においては、前記側方背フレーム部及び前記支持フレーム部のうち、後方側に配置されるフレーム部は、前記固定体の少なくとも一部を収容するフレーム本体部と、前記フレーム本体部に着脱され、前記固定体を後方側から覆うカバー体とを備えている。
【００１７】
斯かる構成の椅子によれば、後方側に配置される支持フレーム部（又は、側方背フレーム部）には、固定体の少なくとも一部を収容するフレーム本体部と、フレーム本体部に着脱されるカバー体とが設けられている。そして、カバー体がフレーム本体部に装着されることで、カバー体が固定体を後方側から覆うことになる。これにより、後方側から固定体を隠すことができるため、例えば、意匠（見栄え）を優れたものにすることができる。
【００１８】
また、本発明に係る椅子においては、前記カバー体は、前記フレーム本体部に装着されるべく、前記固定体を掛止する掛止部を備えている。
【００１９】
斯かる構成の椅子によれば、カバー体には、固定体を掛止する掛止部が設けられている。そして、掛止部が固定体を掛止することで、カバー体がフレーム本体部に装着される。これにより、例えば、固定体と係合部との係合が十分でなく、固定体が適正位置に位置していない場合には、カバー体がフレーム本体部に適正に装着されないため、固定体と係合部との係合が不十分であることを認識させ得る。
【００２０】
また、本発明に係る椅子においては、前記支持フレーム部は、前記一対の接続部間に位置し且つ前記側方背フレーム部と対面する面が凸状になるように形成されてもよい。
【００２１】
斯かる構成の椅子によれば、支持フレーム部における一対の接続部間に位置し且つ側方背フレーム部と対面する面が、凸状となるように形成されている。これにより、支持フレーム部における一対の接続部間が把持される際に、斯かる部位の形状が把持する手の形に対応しているため、把持され易くすることができる。
【００２２】
また、本発明に係る椅子においては、前記側方背フレーム部は、腰を支持するために、前方に向けて凸状に湾曲するフレーム腰部を備え、前記一対の接続部は、前記側方背フレーム部の前記フレーム腰部と前記支持フレーム部とを接続すると共に、前記側方背フレーム部の下端部と前記支持フレーム部とを接続してもよい。
【００２３】
斯かる構成の椅子によれば、側方背フレーム部には、腰を支持するために、前方に向けて凸状に湾曲するフレーム腰部が設けられている。そして、上方側の接続部は、側方背フレーム部のフレーム腰部と支持フレーム部とを接続すると共に、下方側の接続部は、側方背フレーム部の下端部と支持フレーム部とを接続している。これにより、例えば、側方背フレーム部のフレーム腰部より上方側の部位が弾性変形し易くなったり、フレーム腰部を介して、腰を確実に支持したりすることができる。
【発明の効果】
【００２４】
以上の如く、本発明に係る椅子によれば、各支持フレーム部が各背フレーム部に確実に固定されつつも、より安定的に持ち上げることができるという優れた効果を奏する。
【図面の簡単な説明】
【００２５】
【図１】本発明の一実施形態に係る椅子の全体斜視図（正面、平面、左側面）を示す。
【図２】同実施形態に係る椅子の全体斜視図（背面、底面、右側面）を示す。
【図３】同実施形態に係る椅子の全体正面図を示す。
【図４】同実施形態に係る椅子の全体背面図を示す。
【図５】同実施形態に係る椅子の全体平面図を示す。
【図６】同実施形態に係る椅子の全体底面図を示す。
【図７】同実施形態に係る椅子の全体右側面図を示す。
【図８】同実施形態に係る椅子の全体左側面図を示す。
【図９】同実施形態に係る椅子を構成する構成体の要部正面を示す。
【図１０】同実施形態に係る椅子を構成する構成体の要部背面を示す。
【図１１】同実施形態に係る椅子を構成する構成体の要部背面図を示す。
【図１２】同実施形態に係る椅子を構成する構成体の要部左側面図を示す。
【図１３】同実施形態に係る椅子を構成する構成体の要部図であって、図１１のＸIII−ＸIII線拡大断面図を示す。
【図１４】同実施形態に係る椅子を構成する構成体の要部図であって、図１２のＸIV−ＸIV線拡大断面図を示す。
【図１５】同実施形態に係る椅子を構成する構成体の要部図であって、図１２のＸＶ−ＸＶ線拡大断面図を示す。
【図１６】同実施形態に係る椅子を構成する構成体の要部分解斜視図（正面、平面、左側面）を示す。
【図１７】同実施形態に係る椅子を構成する構成体の要部分解斜視図（背面、平面、右側面）を示す。
【発明を実施するための形態】
【００２６】
以下、本発明に係る椅子における一実施形態について、図１〜図１７を参酌して説明する。
【００２７】
本実施形態に係る椅子は、図１〜図８に示すように、脚１と、脚１に支持される支持基部２とを備えている。また、椅子は、支持基部２に支持される座３と、支持基部２に支持される背凭れ４とを備えている。
【００２８】
なお、着座者が背凭れ４に背を着けて座３に座った際に、着座者の前後方向を「前後方向」とし、また、着座者の左右方向を「幅方向」とし、さらに、着座者の高さ方向を「上下方向」として、以下説明する。また、背凭れ４は、着座者の体重が作用していない状態（起立状態）で、前後方向と直交（又は、略直交）するように位置されており、前後方向に着座者の体重が作用すると、前後方向に傾動可能で前後方向と傾斜して交差するように位置される。したがって、特に記載がない場合には、背凭れ４が起立状態として、以下説明する。
【００２９】
脚１は、中心部に配置される脚支柱１１と、脚支柱１１の下部を固定する支柱固定部１２とを備える。また、脚１は、支柱固定部１２から放射状に突出する複数（本実施形態においては五つ）の脚羽根１３と、各脚羽根１３の先端部で且つ下部にそれぞれ取り付けられる複数（本実施形態においては五つ）のキャスター１４とを備える。
【００３０】
脚１は、背凭れ４が把持されて引いたり押したりされることで、載置される床上をキャスター１４が転動するため、床上を円滑に移動することができる。そして、脚支柱１１は、着座者の操作により伸縮可能に構成されており、それにより、支持基部２、座３及び背凭れ４は、昇降できる。
【００３１】
支持基部２は、背凭れ４が前後方向に傾動可能とすべく、背凭れ４を連結する背凭れ連結部２１と、座３と背凭れ４とを接続し、背凭れ４が傾動することに伴って座３を移動させる座移動機構（図示していない）２２とを備える。そして、支持基部２は、背凭れ４を前方向に付勢させるべく、背凭れ４を付勢する付勢機構（図示していない）２３を備える。
【００３２】
また、支持基部２は、着座者が脚支柱１１を伸縮させる際に操作するための昇降レバー２４と、着座者が背凭れ４を所望の角度位置でロックさせる際に操作するためのロックレバー２５と、着座者が付勢機構２３の付勢力を調整する際に操作するための反力調整グリップ２６とを備える。なお、支持基部２は、脚１の脚支柱１１の上部を固定している。
【００３３】
座３は、支持基部２に支持される硬質の座受３１と、座受３１の上面部に固定される軟質の座本体３２と、座本体３２を座受３１に対して前後方向にスライドさせる座本体移動機構（図示していない）３３とを備える。そして、座受３１は、支持基部２の座移動機構２２に接続され、背凭れ４が前後方向に傾動することに伴って、上下方向で傾動し且つ全体的にも昇降する。
【００３４】
背凭れ４は、図９〜図１７に示すように、着座者の背を支持する背フレーム体４１と、背フレーム体４１を支持すべく、背フレーム体４１と支持基部２とを接続する一対の支持フレーム体４２，４２とを備える。また、背凭れ４は、背フレーム体４１と各支持フレーム体４２とを固定する複数の固定体４３を備える。
【００３５】
そして、背凭れ４は、着座者の腰部を支持するランバーサポート装置４４を備える。さらに、背凭れ４は、ランバーサポート装置４４を背フレーム体４１に取り付ける装置取付部４５と、背フレーム体４１及びランバーサポート装置４４の前方側を覆うように、背フレーム体４１に取り付けられ、前面で背凭れ面４ａを構成する弾性の張材４６とを備える。
【００３６】
背フレーム体４１は、背凭れ４における幅方向の両側方に配置される一対の側方背フレーム部４１１，４１１と、上下方向で離間して配置され、各側方背フレーム部４１１から支持フレーム体４２に向けて突出する一対ずつの第１突出部４１２，４１３，４１２，４１３とを備える。
【００３７】
そして、背フレーム体４１は、一対の側方背フレーム部４１１，４１１の各上端部に架設される上方背フレーム部４１４と、一対の側方背フレーム部４１１，４１１の各下端部に架設される下方背フレーム部４１５とを備える。さらに、背フレーム体４１は、固定体４３と係合する係合部４１６を備える。
【００３８】
また、本実施形態において、背フレーム体４１は、各側方背フレーム部４１１、各第１突出部４１２，４１３、上方背フレーム部４１４及び下方背フレーム部４１５を一体に成形している。なお、本明細書において、一体に成形されている背フレーム体４１の各要素（各背フレーム部）を説明する上で、各背フレーム部４１１，４１４，４１５という名称を付している。
【００３９】
各側方背フレーム部４１１は、張材４６が着座者の腰部の形状に対応して形成されるように、前方に向けて凸状に湾曲するフレーム腰部４１１ａを備える。そして、各側方背フレーム部４１１は、上端部に、後方に向けて湾曲する湾曲部４１１ｂを備える。なお、各湾曲部４１１ｂは、後方（側方背フレーム部４１１の端部）に行くに従って、幅方向で互いに接近するように形成されている。
【００４０】
各第１突出部４１２，４１３は、支持フレーム体４２と嵌合すべく、凹凸状の第１嵌合部４１２ａ，４１３ａを先端部に備える。そして、各第１突出部４１２，４１３は、固定体４３に挿入されるための第１孔部４１２ｂ，４１３ｂを備える。また、上方側の各第１突出部４１２は、各側方背フレーム部４１１のフレーム腰部４１１ａから後方に突出していると共に、下方側の各第１突出部４１３は、各側方背フレーム部４１１の下端部から後方に突出している。
【００４１】
上方背フレーム部４１４は、板状に形成されていると共に、上下方向と直交（又は、略直交）するように配置されている。そして、上方背フレーム部４１４は、幅方向の中央側が下方に凸状となるように湾曲して形成されている。また、上方背フレーム部４１４は、把持され易くなるように、上面が上方に凸状となるように（具体的には、上面全体が上方に膨出するように）形成されていると共に、下面も下方に凸状となるように（具体的には、下面全体が下方に膨出するように）形成されている。
【００４２】
斯かる背フレーム体４１においては、左右の側方背フレーム部４１１の上端部を後方に曲げて湾曲部４１１ｂを形成し、該湾曲部４１１ｂの後端部の対向する左右の側面部を繋ぐように、上方背フレーム部４１４が形成されている。具体的には、斯かる背フレーム体４１においては、左右の側方部分（各側方背フレーム部４１１）及び上方部分（上方背フレーム部４１４）が断面扁平の板状に形成されており、左右の側方部分の上端が後方に曲げ且つ左（右）方向にも曲げることで、上方部分が略水平面に沿って配置されている。
【００４３】
なお、張材４６は、上端縁が側方背フレーム部４１１の湾曲部４１１ｂよりも下方に位置するように配置されている。また、張材４６は、上端縁が各側方背フレーム部４１１の湾曲部４１１ｂよりも前方に位置するように配置されている。
【００４４】
そして、側方背フレーム部４１１は、張材４６の上端縁から上方及び後方に湾曲しながら延設され、その後、下方及び後方に湾曲しながら延設されている。しかも、上方背フレーム部４１４の左右の各端部が側方背フレーム部４１４の後端部の内側部と連結しているため、上方背フレーム部４１４は、前後方向で張材４６と離間して配置されている。
【００４５】
背フレーム体４１の各係合部４１６は、本実施形態において、雌ネジ部としている。具体的には、各係合部４１６は、ナットとしている。そして、各係合部４１６は、各第１孔部４１２ｂ，４１３ｂの前方側に配置されている。
【００４６】
各支持フレーム体４２は、側方背フレーム部４１１を支持すべく、側方背フレーム部４１１と前後方向で対面するように離間して配置される支持フレーム部４２１と、上下方向で離間して配置され、支持フレーム部４２１から側方背フレーム部４１１に向けて突出する一対の第２突出部４２２，４２３とを備える。
【００４７】
また、各支持フレーム体４２は、支持フレーム部４２１の下端部に、上端部を連結されるフレーム基部４２４を備える。そして、各支持フレーム体４２は、フレーム基部４２４の下端部に連結され且つ支持基部２の背凭れ連結部２１に連結される第１の被連結部４２５と、フレーム基部４２４から突出し、支持基部２の座移動機構２２に連結される第２の被連結部４２６とを備える。
【００４８】
各支持フレーム部４２１は、一対の第２突出部４２２，２２３間に、持ち上げられる際に把持される把持部４２１ａを備える。また、各支持フレーム部４２１は、固定体４３の一部を収容するフレーム本体部４２１ｂと、フレーム本体部４２１ｂに着脱され、フレーム本体部４２１ｂを後方側から覆うカバー体４２１ｃとを備える。
【００４９】
各把持部４２１ａは、把持され易くなるように、側方背フレーム部４１１と対面する面、即ち、前面が前方に凸状となるように形成されている。具体的には、各把持部４１２ａは、前面全体が前方に膨出するように形成されている。
【００５０】
また、各フレーム本体部４２１ｂは、固定体４３の一部を収容する凹状の収容部４２１ｄ，４２１ｄを備える。そして、各カバー体４２１ｃは、収容部４２１ｄ及び固定体４３を後方側から覆うカバー部４２１ｅと、カバー部４２１ｅから前方に突出し、フレーム本体部４２１ｂに装着されるべく、固定体４３を掛止する掛止部４２１ｆとを備える。
【００５１】
各第２突出部４２２，４２３は、第１突出部４１２，４１３の第１嵌合部４１２ａ，４１３ａと嵌合すべく、凹凸状の第２嵌合部４２２ａ，４２３ａを先端部に備えると共に、各第１突出部４１２，４１３の第１孔部４１２ｂ，４１３ｂと前方側で連通し、各収容部４２１ｄと後方側で連通する第２孔部４２２ｂ，４２３ｂを備える。したがって、各固定体４３は、収容部４２１ｄ、第２孔部４２２ｂ（４２３ｂ）、第１孔部４１２ｂ（４１３ｂ）の順に、後方側から挿入される。
【００５２】
上方側の各第２突出部４２２は、各支持フレーム部４２１の上端部から前方に突出すると共に、背フレーム体４１の上方側の第１突出部４１２と連結されている。また、下方側の各突出部４２２は、各支持フレーム部４２１の中間部から前方に突出すると共に、背フレーム体４１の下方側の突出部４１３と連結されている。
【００５３】
各第１嵌合部４１２ａ（４１３ａ）の凹凸形状と、各第２嵌合部４２２ａ（４２３ａ）の凹凸形状とは、互いに嵌合可能である。そして、各凹凸形状は、嵌合させると、山形と谷形における各頂部が一致する形状に構成されており、互いに位置ずれすることを防止している。
【００５４】
固定体４３は、背フレーム体４１の係合部４１６と係合する係合部４３１と、カバー体４２１ｃの掛止部４２１ｆに掛止される被掛止部４３２とを備える。そして、被掛止部４３２は、後方側の端部に配置され、固定体４３の係合部４３１より大径に形成されている。本実施形態において、固定体４３は、雄ネジ部材とし、固定体４３の係合部４３１は、雄ネジ部としている。具体的には、固定体４３は、ボルトとしている。
【００５５】
固定体４３の係合部４３１は、各突出部４１２，４２２（４１３，４２３）の各孔部４１２ｂ，４２２ｂ（４１３ｂ，４２３ｂ）に収容されている。そして、固定体４３の被掛止部４３２は、フレーム本体部４２１ｂの収容部４２１ｄに収容されると共に、カバー体４２１ｃの掛止部４２１ｆに掛止される。
【００５６】
ランバーサポート装置４４は、前面のサポート面４４ａを前後方向に進退するランバーサポート機構４４１と、ランバーサポート機構４４１を作動させる作動機構（図示していない）４４２と、ランバーサポート機構４４１を後方側から支持する平板状の装置支持部４４３と、作動機構４４２を収容する収容部４４４とを備える。
【００５７】
装置取付部４５は、各側方背フレーム部４１１とで、ランバーサポート装置４４を挟持して保持する一対の挟持体４５１，４５１を備える。また、装置取付部４５は、各挟持体４５１の上下方向の各端部を各側方背フレーム部４１１に固定する挟持体固定材４５２，４５２を備える。
【００５８】
各挟持体４５１は、弾性変形されることにより、各側方背フレーム部４１１に対してランバーサポート装置４４を上下方向で位置変更を可能にさせる一方、復元することにより、ランバーサポート装置４４の装置支持部４４３の両端部を後方（即ち、側方背フレーム部４１１の前面）に向けて付勢する。
【００５９】
ところで、背凭れ４には、各側方背フレーム部４１１と各支持フレーム部４２１とを接続する接続部４ｂ，４ｃを一対ずつ設けられている。そして、上方側の接続部４ｂは、上方側の第１突出部４１２及び上方側の第２突出部４２２を備えていると共に、下方側の接続部４ｃは、下方側の第１突出部４１３及び下方側の第２突出部４２３を備えている。
【００６０】
一対の接続部４ｂ，４ｃは、それぞれ各側方背フレーム部４１１と各支持フレーム部４２１との間に位置していると共に、上下方向で離間して位置している。そして、上方側の接続部４ｂは、側方背フレーム部４１１のフレーム腰部４１１ａと支持フレーム部４２１の上端部とを接続していると共に、下方側の接続部４ｃは、側方背フレーム部４１１の下端部と支持フレーム部４２１の中間部とを接続している。
【００６１】
以上より、本実施形態に係る椅子によれば、各支持フレーム部４２１は、支持する各側方背フレーム部４１１と前後方向で対面するように離間して配置されている。そして、各側方背フレーム部４１１と各支持フレーム部４２１とを接続している一対の接続部４ｂ，４ｃは、上下方向で離間して位置している。これにより、各支持フレーム部４２１が上下方向で離間した二箇所の接続部４ｂ，４ｃで各側方背フレーム部４１１に接続されているため、各支持フレーム部４２１が各背フレーム部４１１に確実に固定されている。
【００６２】
また、各側方背フレーム部４１１と各支持フレーム部４２１とが前後方向で離間しているため、各支持フレーム部４２１における一対の接続部４ｂ，４ｃ間に位置する把持部４２１ａを把持することができる。しかも、一対の接続部４ｂ，４ｃが、把持する手を上下方向で係止することもできるため、把持部４２１ａを確実に把持させることもできる。したがって、各支持フレーム部４２１が各背フレーム部４１１に確実に固定されつつも、持ち上げることが容易である。
【００６３】
また、本実施形態に係る椅子によれば、各接続部４ｂ，４ｃには、各側方背フレーム部４１１と一体に形成され且つ支持フレーム部４２１に向けて突出する第１突出部４１２，４１３と、各支持フレーム部４２１と一体に形成され且つ側方背フレーム部４１１に向けて突出する第２突出部４２２，４２３とが設けられている。
【００６４】
これにより、各突出部４１２，４１３（４２２，４２３）が各フレーム部４１１（４１２）と一体に形成されているため、各側方背フレーム部４１１と各支持フレーム部４２１とを容易に接続することができる。
【００６５】
また、本実施形態に係る椅子によれば、第１突出部４１２（４１３）と第２突出部４２２（４２３）とには、それぞれ凹凸状の嵌合部４１２ａ（４１３ａ），４２２ａ（４２３ａ）が設けられているため、第１突出部４１２（４１３）と第２突出部４２２（４２３）とが互いに嵌合する。これにより、各側方背フレーム部４１１と各支持フレーム部４２１とが位置ずれすることなく、各側方背フレーム部４１１と各支持フレーム部４２１とを接続することができる。
【００６６】
また、本実施形態に係る椅子によれば、互いに嵌合する各第１突出部４１２（４１３）と各第２突出部４２２（４２３）とには、互いに連通する孔部４１２ｂ（４１３ｂ），４２２ｂ（４２３ｂ）が設けられている。したがって、各孔部４１２ｂ（４１３ｂ），４２２ｂ（４２３ｂ）が連通するように、各突出部４１２（４１３），４２２（４２３）を容易に位置決めすることができる。
【００６７】
そして、後方側から各孔部４１２ｂ（４１３ｂ），４２２ｂ（４２３ｂ）に挿入された固定体４３が、背フレーム体４１の係合部４１６と係合することで、背フレーム体４１と各支持フレーム体４２とが固定される。したがって、後方側から固定体４３をネジ締結するだけで、背フレーム体４１と各支持フレーム体４２とを容易に固定させることができる。
【００６８】
また、本実施形態に係る椅子によれば、各支持フレーム部４２１には、固定体４３の被掛止部４３２を収容するフレーム本体部４２１ｂと、フレーム本体部４２１ｂに着脱されるカバー体４２１ｃとが設けられている。そして、カバー体４２１ｃがフレーム本体部４２１ｂに装着されることで、カバー体４２１ｃが固定体４３を後方側から覆うことになる。これにより、後方側から固定体４３を隠すことができるため、例えば、意匠（見栄え）を優れたものにすることができる。
【００６９】
また、本実施形態に係る椅子によれば、カバー体４２１ｃには、固定体４３を掛止する掛止部４２１ｆが設けられている。そして、掛止部４２１ｆが固定体４３を掛止することで、カバー体４２１ｃがフレーム本体部４２１ｂに装着される。
【００７０】
これにより、固定体４３と背フレーム体４１の係合部４１６との係合が十分でなく、固定体４３が適正な位置に位置していない場合には、例えば、掛止部４２１ｆが固定体４３を掛止することができなかったり、また、掛止部４２１ｆが固定体４３を掛止できたとしても、カバー体４２１ｃがフレーム本体部４２１ｂから離間したりする。したがって、カバー体４２１ｃがフレーム本体部４２１ｂに適正に装着されないため、固定体４３と背フレーム体４１の係合部４１６との係合が不十分であることを認識させ得る。
【００７１】
また、本実施形態に係る椅子によれば、支持フレーム部４２１における一対の接続部４ｂ，４ｃ間に位置する把持部４２１ａの前面が、凸状に湾曲するように形成されている。これにより、把持部４２１ａが把持される際に、把持部４２１ａの形状が把持する手の形に対応しているため、把持され易くすることができる。
【００７２】
また、本実施形態に係る椅子によれば、各側方背フレーム部４１１には、腰を支持するために、前方に向けて凸状に湾曲するフレーム腰部４１１ａが設けられている。そして、上方側の各接続部４ｂは、側方背フレーム部４１１のフレーム腰部４１１ａと支持フレーム部４２１の上端部とを接続すると共に、下方側の各接続部４ｃは、側方背フレーム部４１１の下端部と支持フレーム部４２１の中間部とを接続している。
【００７３】
これにより、弾性を有する各側方背フレーム部４１１のフレーム腰部４１１ａより上方側の部位が弾性変形し易くなり、着座者が後ろを振り向く等の動きに追随して背凭れ面４ａの形状を三次元的に変化させたり、フレーム腰部４１１ａを介して、着座者の腰を確実に支持したりすることができる。
【００７４】
なお、本発明に係る椅子は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００７６】
また、上記実施形態に係る椅子においては、側方背フレーム部４１１が支持フレーム部４２１よりも前方側に配置される構成を説明したが、斯かる構成に限られない。例えば、側方背フレーム部４１１は、支持フレーム部４２１よりも後方側に配置される構成でもよい。
【００７８】
また、上記実施形態に係る椅子においては、背フレーム体４１と各支持フレーム体４２とがネジ構造で固定される構成を説明したが、斯かる構成に限られない。例えば、背フレーム体と各支持フレーム体とは、接着剤等で固定される構成でもよく、また、嵌合構造で固定される構成でもよい。
【００７９】
また、上記実施形態に係る椅子においては、固定体４３が後方側から挿入される構成を説明したが、斯かる構成に限られない。例えば、ボルト等の固定体が前方側から挿入される構成でもよい。
【００８２】
また、上記実施形態に係る椅子においては、把持部４２１ａの前面が凸状に湾曲して形成される構成を説明したが、斯かる構成に限られない。例えば、把持部の前面は、平面状や凹凸状に形成される構成でもよい。また、把持部は、把持される手の指を掛止すべく、前面が上下方向で凹凸状に形成される構成でもよく、また、後面や側面も凸状となるように形成される構成でもよい。
【００８３】
また、上記実施形態に係る椅子においては、支持フレーム部４２１が側方背フレーム部４１１の下部を支持する構成を説明したが、斯かる構成に限られない。例えば、支持フレーム部は、側方背フレーム部の上部や中間部を支持する構成でもよい。
【００８４】
また、上記実施形態に係る椅子においては、背フレーム体４１の係合部４１６がナットである構成を説明したが、斯かる構成に限られない。例えば、背フレーム体の係合部は、各第１突出部の第１孔部の内周部にネジが形成された雌ネジ部である構成でもよい。
【００８５】
また、上記実施形態に係る椅子においては、後方側から挿入される固定体４３１の係合部４３１が雄ネジ構造であって、背フレーム体４１に設けられる係合部４１６が雌ネジ構造である構成を説明したが、斯かる構成に限られない。例えば、後方側から挿入される固定体の係合部が雌ネジ構造であって、背フレーム体に設けられる係合部が雄ネジ構造である構成でもよい。
【００８６】
また、上記実施形態に係る椅子においては、背フレーム体４１は、各側方背フレーム部４１１、上方背フレーム部４１４及び下方背フレーム部４１５を一体に成形している構成を説明したが、斯かる構成に限られない。例えば、背フレーム体は、各側方背フレーム部、上方背フレーム部及び下方背フレーム部の少なくとも一つを別部材で成形し、複数の部材を組み合わせることで形成される構成でもよい。
【００８７】
また、上記実施形態に係る椅子においては、脚１には、キャスター１４が設けられており、押したり引いたりすることで、脚１が床上を円滑に移動できる構成、即ち、移動脚である構成を説明したが、斯かる構成に限られない。例えば、脚は、キャスターが設けられていない構成、即ち、固定脚である構成でもよい。
【００８８】
また、本発明に係る椅子は、衣類等を掛けるべく、上方背フレーム部４１４に着脱されるハンガー具をさらに備える構成でもよい。斯かるハンガーは、幅方向に沿って配置される長尺なハンガー本体と、上方背フレーム部４１４に着脱されるハンガー着脱部と、上方背フレーム部４１４とハンガー本体とを離間させるべく、ハンガー本体とハンガー着脱部とを接続するハンガー接続部とを備えている。
【００８９】
また、本発明に係る椅子は、着座者の頭部を後方側から支持すべく、上方背フレーム部４１４に着脱されるヘッドレスト具をさらに備える構成でもよい。斯かるヘッドレスト具は、上方背フレーム部４１４の上方に配置されるヘッドレスト本体と、上方背フレーム部４１４に着脱されるヘッドレスト着脱部と、上方背フレーム部４１４とヘッドレスト本体とを接続するヘッドレスト接続部とを備えている。
【符号の説明】
【００９０】
１…脚、２…支持基部、３…座、４…背凭れ、４ａ…背凭れ面、４ｂ，４ｃ…接続部、４１…背フレーム体、４２…支持フレーム体、４３…固定体、４４…ランバーサポート装置、４５…装置取付部、４６…張材、４１１…側方背フレーム部、４１１ａ…フレーム腰部、４１２，４１３…第１突出部、４１２ａ，４１３ａ…嵌合部、４１２ｂ，４１３ｂ…孔部、４１６…係合部、４２１…支持フレーム部、４２１ａ…把持部、４２１ｂ…フレーム本体部、４２１ｃ…カバー体、４２１ｆ…掛止部、４２２，４２３…第２突出部、４２２ａ，４２３ａ…嵌合部、４２２ｂ，４２３ｂ…孔部
【図１】
0005970203.tif 000002
【図２】
0005970203.tif 000003
【図３】
0005970203.tif 000004
【図４】
0005970203.tif 000005
【図５】
0005970203.tif 000006
【図６】
0005970203.tif 000007
【図７】
0005970203.tif 000008
【図８】
0005970203.tif 000009
【図９】
0005970203.tif 000010
【図１０】
0005970203.tif 000011
【図１１】
0005970203.tif 000012
【図１２】
0005970203.tif 000013
【図１３】
0005970203.tif 000014
【図１４】
0005970203.tif 000015
【図１５】
0005970203.tif 000016
【図１６】
0005970203.tif 000017
【図１７】
0005970203.tif 000018